(57)【要約】【課題】充電部と非充電金属部間の絶縁を確実なものとし、安価で、かつ温度上昇性能を向上させ高信頼性を得るポンプ装置のポンプ駆動用モータ。【解決手段】ポンプ駆動用モータと、ケーシング内に設けられた羽根車を前記ポンプ駆動用モータにより回転させてポンプ作用を行うポンプ部と、前記ポンプ駆動用モータの回転速度を変速させて前記ポンプ部を制御する制御部を有するポンプ装置において、前記ポンプ駆動用モータの固定子巻線の上にシリコーン混和物を塗布したことで充電部と非充電金属部間の絶縁を確実なものとし、かつモータハウジングの閉口した軸方向側面に押し当てたことを特徴とするポンプ装置。【選択図】  図６
2020014267.tif 000002
【特許請求の範囲】
【請求項１】
ケーシング内に設けられた羽根車をポンプ駆動用モータにより回転させてポンプ作用を行うポンプ部と、前記ポンプ駆動用モータの回転速度を変速させて前記ポンプ部を制御する制御部を有するポンプ装置において、前記ポンプ駆動用モータは固定子巻線の軸方向端面上に絶縁性を有したシリコーン混和物を塗布したことを特徴とするポンプ装置。
【請求項２】
請求項１に記載のポンプ装置において、ポンプ駆動用モータの固定子鉄心は外周側にモータハウジングが同軸上に勘合され、モータハウジングの軸方向側面の一方は閉口しており、軸方向側面と固定子巻線の軸方向端面上の絶縁性を有したシリコーン混和物を接触させたことを特徴とするポンプ装置。
【発明の詳細な説明】
【技術分野】
【０００１】
本発明はポンプ装置に係わり、更に詳細にはポンプ駆動用モータの小型高効率と信頼性向上に関するものである。
【背景技術】
【０００２】
従来のポンプ装置に配置されたポンプ駆動用モータは小型かつ高出力を得るために、充電部と非充電金属部の空間距離は最短で確保するが、巻線径の太さや巻線作業時の寸法ばらつきを考慮すると前記空間距離に裕度を持った構造としていた。また、温度上昇性能も考慮すると巻線数や固定子鉄心積厚を増やすなどにより小型化に対し制約がある。
特許文献１では、充電部とブラケットを絶縁するために絶縁部材を用いており、かつ、伝熱部材を仮固定するための仮固定部を有しているが、直に伝熱するための
記述はない。
【先行技術文献】
【特許文献】
【０００３】
【特許文献１】特開２０１５−２２３０１７号公報
【発明の概要】
【発明が解決しようとする課題】
【０００４】
近年、ポンプ装置の駆動用モータは小型かつ高出力を要求されており、かつ温度上昇性能を確保するためには、使用する巻線径や巻数も許容される最大限まで詰めている。一方で充電部と非充電金属部の空間距離確保は命題であり、絶縁物を介する場合もある。絶縁はテープや、樹脂で構成された板状や筒状の物を使用し可能となるが、温度上昇性能では絶縁物により放熱が遮られ、効率の良い放熱を阻害するため、絶縁物の使用と効率の良い放熱を両立させる方法が必要である。
本発明は、効率が良く、安価で、信頼性の高いポンプ装置を得ることを目的とする。
【課題を解決するための手段】
【０００５】
本発明は上記課題を解決するために、ケーシング内に設けられた羽根車をポンプ駆動用モータにより回転させてポンプ作用を行うポンプ部と、前記ポンプ駆動用モータの回転速度を変速させて前記ポンプ部を制御する制御部を有するポンプ装置において、前記ポンプ駆動用モータは固定子巻線の軸方向端面上に絶縁性を有したシリコーン混和物を塗布したことを特徴とする。
【発明の効果】
【０００６】
シリコーン混和物は絶縁性を有しており、充電部と非充電金属部の絶縁が可能となり、また、モータハウジングと接触させることにより固定子巻線からの発熱を直接モータハウジングへ伝熱することが可能となる。
これらにより、効率が良く、安価で、信頼性の高いポンプ装置を得ることが出来る。
【図面の簡単な説明】
【０００７】
【図１】本発明の一実施例に係るもので、ポンプ装置の正面図である。
【図２】図1のポンプ装置平面図である。
【図３】従来のポンプ駆動用モータ断面図である。
【図４】従来のポンプ駆動用モータ固定子の平面図である。
【図５】本発明のシリコーン混和物を塗布した固定子の平面図である。
【図６】本発明のポンプ駆動用モータ断面図である。
【発明を実施するための形態】
【０００８】
以下、本発明の実施形態を本発明の実施例の図面に沿って説明する。
【０００９】
まず、本発明のポンプ装置の概要について図１を用いて説明する。
【００１０】
ポンプ装置は、水通路が形成されたポンプベース１と、ポンプベース１の吐出側水通路部上部に載置された圧力タンク２と、ポンプベース１の上に配置されたポンプ駆動用モータ３とポンプ駆動用モータ３の回転数を変速させてポンプ装置を制御する制御部である制御基板４と、制御基板４と通信線で接続されポンプ装置の吐出圧力値の表示や運転圧力等の設定を切り替え操作できる表示基板５と、ポンプベース１の吐出側水通路部上部に載置されたポンプ装置の圧力を検出する圧力センサー６が備わっており、それらをポンプカバー１０が覆う構造である。
代表的ポンプであるウェスコポンプを例示するが、本発明はウェスコポンプに限定されるものではない。
【００１１】
ポンプ装置の運転はポンプ駆動用モータ３を運転することにより行われる。まず、自吸運転が行われ、自吸運転が終了してから揚水運転に移行する。
かかる揚水運転で、吐出配管につながる流路が閉じられると、吐出配管から下流側の圧力が上がる。この圧力を圧力センサー６が検知してポンプ駆動用モータ３の運転が止まる。
【００１２】
次に、本発明について図２から図６を用いて説明する。
【００１３】
図２は前記図１の平面図である。
【００１４】
図３は従来のモータ断面図を表しており、固定子２０は回転子鉄心外周側に円筒状のモータハウジング３０を同心上に圧入、または、温嵌めにより勘合し、閉口した軸方向側面３０aの中心には同軸に回転子３１を配し軸受け３２により保持され、相対する側面には同じく軸受を保持する構造を有したエンドブラケット３４を装着し回転子３１の回転を可能としている。エンドブラケット３４と固定子２０には空隙δ１が存在する。
【００１５】
図４は従来の固定子２０の平面図を表しており、固定子鉄心２１内径側には中心に向かい放射状に巻線を巻装するための複数のティース部２２を有し巻線空隙部２３を形成し中心には回転子３１を通す同心円を有している。前記固定子鉄心２１の両端面には、固定子巻線である巻線２４との絶縁のために樹脂成形された端面絶２５を配している。
【００１６】
図５は前記固定子２０の複数のティース部２２に巻装された巻線２４の上に本発明の絶縁性を有したシリコーン混和物４０をそれぞれ塗布した図を表している。
シリコーン混和物４０の形態はペースト状の物であり、硬化後も塗布した形状を維持することが出来る粘度が必要である。
【００１７】
図６は本発明のモータ断面図であり、前記シリコーン混和物４０を塗布した固定子２０をモータハウジング３０の閉口した軸方向側面部３０aに押し当てた図を表している。シリコーン混和物４０を塗布した固定子２０をモータハウジング３０の閉口した軸方向側面部３０aに押し当てることにより、発熱源である巻線２４の熱をモータハウジング３０へ効率よく伝熱することが可能となる。
【００１８】
かつ、絶縁性を有していることからモータハウジング３０との絶縁も可能となる。
モータハウジング３０の外郭には外扇ファン３３を回転子３１と同軸に具備しており、モータの回転数と同時に回転し冷却風を発生させ、温度上昇低減を更に促進させている。
また、前記図３では空隙δ１を説明している。本図６において固定子２０をモータハウジング３０に勘合しているが閉口した軸方向側面部３０aに移動することで、前記エンドブラケット３４との空隙はδ２となり、δ１より空隙が大きくなることが分かる。
【００１９】
空隙δ１＜δ２とすることで、モータハウジング３０の全長を短くすることが可能となり小型化が可能となる。または、固定子鉄心２１の積厚を更に多くして小型でより高出力のモータ性能を得ることが可能となる。
【００２０】
ペースト状のシリコーン混和物４０を巻線２４の上に塗布したことで絶縁が確実になり、モータハウジング３０の閉口した軸方向側面３０aへ押し当て、伝熱することで温度上昇性能を向上させることが可能となり効率の良い安価で信頼性の高い製品を顧客へ提供することが可能である。
【符号の説明】
【００２１】
３  ポンプ駆動用モータ、  ２０  固定子、  ２１  固定子鉄心、  ２４  巻線、  
３０  モータハウジング、 ３０a  閉口した軸方向側面部、
３１  回転子、  ３３  外扇ファン、  ４０  シリコーン混和物、δ  空間距離
【図１】
2020014267.tif 000003
【図２】
2020014267.tif 000004
【図３】
2020014267.tif 000005
【図４】
2020014267.tif 000006
【図５】
2020014267.tif 000007
【図６】
2020014267.tif 000008